(57)【要約】【課題】樹脂フィルムに孔を安定して形成することができる樹脂フィルム加工装置を提供すること。【解決手段】樹脂フィルム加工装置１は、樹脂フィルム２０をその長手方向に沿って搬送する搬送手段２であって、外形形状が円柱状をなし、その外周部に周方向に沿って少なくとも１本の溝が形成され、樹脂フィルム２０の長手方向の途中が接触して、掛け回されつつ回転する溝付きローラ２１を有する搬送手段２と、溝付きローラ２１に対向して設けられ、前記溝上で樹脂フィルム２０に対してレーザ光を照射することにより、その照射された部分に孔を形成するレーザ光照射部３１を有する孔形成手段３とを備える。搬送手段２は、樹脂フィルム２０の溝付きローラ２１に接触して、掛け回された接触部２０３の抱き角を調整する抱き角調整機構４を有する。【選択図】図２
2015188915.tif 000002
【特許請求の範囲】
【請求項１】
長尺状をなす樹脂フィルムをその長手方向に沿って搬送する搬送手段であって、外形形状が円柱状をなし、その外周部に周方向に沿って少なくとも１本の溝が形成され、前記樹脂フィルムの長手方向の途中が接触して、掛け回されつつ回転する溝付きローラを有する搬送手段と、
前記溝付きローラに対向して設けられ、前記溝上で前記樹脂フィルムに対してレーザ光を照射することにより、その照射された部分に孔を形成するレーザ光照射部を有する孔形成手段とを備え、
前記搬送手段は、前記樹脂フィルムの前記溝付きローラに接触して、掛け回された接触部の抱き角を調整する抱き角調整機構を有することを特徴とする樹脂フィルム加工装置。
【請求項２】
前記抱き角調整機構は、前記溝付きローラに対して前記樹脂フィルムの搬送方向上流側および下流側のうちの少なくとも一方に隣り合って配置され、外形形状が円柱状をなし、前記樹脂フィルムが掛け回されつつ回転する抱き角調整用ローラと、該抱き角調整用ローラを前記搬送方向と交差する方向に移動可能に支持する移動支持機構とを有する請求項１に記載の樹脂フィルム加工装置。
【請求項３】
前記抱き角調整用ローラは、前記搬送方向上流側および下流側の双方に配置されており、
前記移動支持機構は、前記各抱き角調整用ローラを一括して同じ方向に移動させる請求項２に記載の樹脂フィルム加工装置。
【請求項４】
前記抱き角調整用ローラの外径は、前記溝付きローラの外径よりも小さい請求項２または３に記載の樹脂フィルム加工装置。
【請求項５】
前記抱き角調整機構は、前記樹脂フィルムに対して該樹脂フィルムの搬送方向のテンションを調整する機能を有する請求項２ないし４のいずれか１項に記載の樹脂フィルム加工装置。
【請求項６】
前記搬送手段は、前記樹脂フィルムの搬送速度を可変に構成されており、
前記抱き角調整機構は、前記搬送速度の大小により前記抱き角の大きさを調整するよう構成されている請求項１ないし５のいずれか１項に記載の樹脂フィルム加工装置。
【請求項７】
前記抱き角調整機構は、前記樹脂フィルムの厚さの大小により前記抱き角の大きさを調整するよう構成されている請求項１ないし６のいずれか１項に記載の樹脂フィルム加工装置。
【請求項８】
前記抱き角調整機構は、前記樹脂フィルムの伸び易さの大小より前記抱き角の大きさを調整するよう構成されている請求項１ないし７のいずれか１項に記載の樹脂フィルム加工装置。
【請求項９】
前記抱き角調整機構による前記抱き角の調整範囲は、０度以上１８０度以下である請求項１ないし８のいずれか１項に記載の樹脂フィルム加工装置。
【請求項１０】
前記樹脂フィルムは、熱可塑性樹脂で構成されており、
前記レーザ光照射部が照射する前記レーザ光は、ＣＯ２レーザ光である請求項１ないし９のいずれか１項に記載の樹脂フィルム加工装置。
【請求項１１】
前記孔形成手段は、前記レーザ光照射部を前記溝に対して接近、離間可能に支持するレーザ光照射部支持機構を有する請求項１ないし１０のいずれか１項に記載の樹脂フィルム加工装置。
【発明の詳細な説明】
【技術分野】
【０００１】
本発明は、樹脂フィルム加工装置に関する。
【背景技術】
【０００２】
青果物には、樹脂フィルムを袋状に形成して、その袋体に包装されているものがある。この樹脂フィルムには、複数の孔が形成されている。この孔より、青果物自身の呼吸速度が調整されて、当該青果物の鮮度保持が行なわれる。
【０００３】
樹脂フィルムに複数の孔を形成する装置が従来から知られている（例えば、特許文献１参照）。この特許文献１に記載の装置は、樹脂フィルムが掛け回されつつ回転する複数のローラと、樹脂フィルムの搬送中に当該樹脂フィルムにレーザ光を照射して孔を形成するレーザ光照射部とを備えている。
【０００４】
しかしながら、特許文献１に記載の装置では、樹脂フィルムの搬送速度や、樹脂フィルムの厚さ等の条件によっては、樹脂フィルムの搬送中に樹脂フィルムと各ローラとの間に空気が巻き込まれて、当該樹脂フィルムが波打つおそれがあった。そして、樹脂フィルムが波打った状態で、孔の形成を行なうと、孔の大きさにばらつきが生じてしまう。
【先行技術文献】
【特許文献】
【０００５】
【特許文献１】特開２００８−２７２８３３号公報
【発明の概要】
【発明が解決しようとする課題】
【０００６】
本発明の目的は、樹脂フィルムに孔を安定して形成することができる樹脂フィルム加工装置を提供することにある。
【課題を解決するための手段】
【０００７】
このような目的は、下記（１）〜（１１）の本発明により達成される。
（１）  長尺状をなす樹脂フィルムをその長手方向に沿って搬送する搬送手段であって、外形形状が円柱状をなし、その外周部に周方向に沿って少なくとも１本の溝が形成され、前記樹脂フィルムの長手方向の途中が接触して、掛け回されつつ回転する溝付きローラを有する搬送手段と、
前記溝付きローラに対向して設けられ、前記溝上で前記樹脂フィルムに対してレーザ光を照射することにより、その照射された部分に孔を形成するレーザ光照射部を有する孔形成手段とを備え、
前記搬送手段は、前記樹脂フィルムの前記溝付きローラに接触して、掛け回された接触部の抱き角を調整する抱き角調整機構を有することを特徴とする樹脂フィルム加工装置。
【０００８】
（２）  前記抱き角調整機構は、前記溝付きローラに対して前記樹脂フィルムの搬送方向上流側および下流側のうちの少なくとも一方に隣り合って配置され、外形形状が円柱状をなし、前記樹脂フィルムが掛け回されつつ回転する抱き角調整用ローラと、該抱き角調整用ローラを前記搬送方向と交差する方向に移動可能に支持する移動支持機構とを有する上記（１）に記載の樹脂フィルム加工装置。
【０００９】
（３）  前記抱き角調整用ローラは、前記搬送方向上流側および下流側の双方に配置されており、
前記移動支持機構は、前記各抱き角調整用ローラを一括して同じ方向に移動させる上記（２）に記載の樹脂フィルム加工装置。
【００１０】
（４）  前記抱き角調整用ローラの外径は、前記溝付きローラの外径よりも小さい上記（２）または（３）に記載の樹脂フィルム加工装置。
【００１１】
（５）  前記抱き角調整機構は、前記樹脂フィルムに対して該樹脂フィルムの搬送方向のテンションを調整する機能を有する上記（２）ないし（４）のいずれかに記載の樹脂フィルム加工装置。
【００１２】
（６）  前記搬送手段は、前記樹脂フィルムの搬送速度を可変に構成されており、
前記抱き角調整機構は、前記搬送速度の大小により前記抱き角の大きさを調整するよう構成されている上記（１）ないし（５）のいずれかに記載の樹脂フィルム加工装置。
【００１３】
（７）  前記抱き角調整機構は、前記樹脂フィルムの厚さの大小により前記抱き角の大きさを調整するよう構成されている上記（１）ないし（６）のいずれかに記載の樹脂フィルム加工装置。
【００１４】
（８）  前記抱き角調整機構は、前記樹脂フィルムの伸び易さの大小より前記抱き角の大きさを調整するよう構成されている上記（１）ないし（７）のいずれかに記載の樹脂フィルム加工装置。
【００１５】
（９）  前記抱き角調整機構による前記抱き角の調整範囲は、０度以上１８０度以下である上記（１）ないし（８）のいずれかに記載の樹脂フィルム加工装置。
【００１６】
（１０）  前記樹脂フィルムは、熱可塑性樹脂で構成されており、
前記レーザ光照射部が照射する前記レーザ光は、ＣＯ２レーザ光である上記（１）ないし（９）のいずれかに記載の樹脂フィルム加工装置。
【００１７】
（１１）  前記孔形成手段は、前記レーザ光照射部を前記溝に対して接近、離間可能に支持するレーザ光照射部支持機構を有する上記（１）ないし（１０）のいずれかに記載の樹脂フィルム加工装置。
【発明の効果】
【００１８】
本発明によれば、例えば樹脂フィルムの搬送速度、樹脂フィルムの厚さ、樹脂フィルムの伸び易さ等の条件によって、抱き角度を適宜調整することができる。これにより、樹脂フィルムに孔を形成する際に、その形成を安定して行なうことができる。
【図面の簡単な説明】
【００１９】
【図１】図１は、本発明の樹脂フィルム加工装置の第１実施形態を示す正面図である。
【図２】図２は、図１に示す状態から抱き角調整機構を作動させた状態を示す正面図である。
【図３】図３は、図１に示す樹脂フィルム加工装置で樹脂フィルムに孔が形成される状態を示す断面図である。
【図４】図４は、図１に示す樹脂フィルム加工装置が備える溝付きローラの斜視図である。
【図５】図５は、図１に示す樹脂フィルム加工装置が備える抱き角調整機構の正面図である。
【図６】図６は、図１に示す樹脂フィルム加工装置の主要部のブロック図である。
【図７】図７は、搬送速度と抱き角との関係を示すグラフである。
【図８】図８は、本発明の樹脂フィルム加工装置（第２実施形態）での樹脂フィルムの厚さと抱き角との関係を示すグラフである。
【図９】図９は、本発明の樹脂フィルム加工装置（第３実施形態）での樹脂フィルムの伸び率と抱き角との関係を示すグラフである。
【図１０】図１０は、本発明の樹脂フィルム加工装置の第４実施形態を示す正面図である。
【図１１】図１１は、図１０に示す樹脂フィルム加工装置で樹脂フィルムに孔が形成される状態を示す断面図である。
【図１２】図１２は、図１０に示す樹脂フィルム加工装置で樹脂フィルムに孔が形成される状態を示す断面図である。
【図１３】図１３は、図１に示す樹脂フィルム加工装置で加工された樹脂フィルムから包装袋を製造する過程を順に示す図である。
【図１４】図１４は、図１に示す樹脂フィルム加工装置で加工され得る樹脂フィルムの他の構成例を示す斜視図である。
【図１５】図１５は、図１４中のＡ−Ａ線断面図である。
【発明を実施するための形態】
【００２０】
以下、本発明の樹脂フィルム加工装置を添付図面に示す好適な実施形態に基づいて詳細に説明する。
【００２１】
＜第１実施形態＞
図１は、本発明の樹脂フィルム加工装置の第１実施形態を示す正面図である。図２は、図１に示す状態から抱き角調整機構を作動させた状態を示す正面図である。図３は、図１に示す樹脂フィルム加工装置で樹脂フィルムに孔が形成される状態を示す断面図である。図４は、図１に示す樹脂フィルム加工装置が備える溝付きローラの斜視図である。図５は、図１に示す樹脂フィルム加工装置が備える抱き角調整機構の正面図である。図６は、図１に示す樹脂フィルム加工装置の主要部のブロック図である。図７は、搬送速度と抱き角との関係を示すグラフである。図１３は、図１に示す樹脂フィルム加工装置で加工された樹脂フィルムから包装袋を製造する過程を順に示す図である。図１４は、図１に示す樹脂フィルム加工装置で加工され得る樹脂フィルムの他の構成例を示す斜視図である。図１５は、図１４中のＡ−Ａ線断面図である。なお、以下では、説明の都合上、図１〜図３および図５中の上側を「上」または「上方」、下側を「下」または「下方」と言い、左側を「左」、右側を「右」と言う。
【００２２】
図１、図２に示す樹脂フィルム加工装置（以下単に「加工装置」と言う）１は、樹脂フィルム２０に多数の孔２０１を形成する加工を施す装置である。この加工装置１は、樹脂フィルム２０を搬送する搬送手段２と、樹脂フィルム２０に孔２０１を形成する孔形成手段３と、これらの作動を制御する制御手段１０とを備えている。加工装置１の各部の構成について説明する前に、樹脂フィルム２０について説明する。
【００２３】
樹脂フィルム２０は、長尺状、すなわち、帯状をなし、加工が施される以前はロール状に巻回されており、加工が施されている最中は引き伸ばされ、加工が施された後は再度ロール状に巻回される。
【００２４】
図１３に示すように、本実施形態では、樹脂フィルム２０に多数の孔２０１が形成されており、その配置態様は、樹脂フィルム２０の長手方向に沿って等間隔に配置され、幅方向には等間隔に４つ配置されている。なお、長手方向に沿った間隔と、幅方向に沿った間隔とは、同じであってもよいし、異なっていてもよい。
【００２５】
樹脂フィルム２０は、熱可塑性樹脂で構成されており、その熱可塑性樹脂としては、例えば、ポリエチレン、ポリプロピレン、エチレン−酢酸ビニル共重合体等のポリオレフィン、変性ポリオレフィン、ポリアミド（例：ナイロン６、ナイロン４６、ナイロン６６、ナイロン６１０、ナイロン６１２、ナイロン１１、ナイロン１２、ナイロン６−１２、ナイロン６−６６）、熱可塑性ポリイミド、芳香族ポリエステル等の液晶ポリマー、ポリフェニレンオキシド、ポリフェニレンサルファイド、ポリカーボネート、ポリメチルメタクリレート、ポリエーテル、ポリエーテルエーテルケトン、ポリエーテルイミド、ポリアセタール、スチレン系、ポリオレフィン系、ポリ塩化ビニル系、ポリウレタン系、ポリ乳酸エチルなどのポリエステル系、ポリアミド系、ポリブタジエン系、トランスポリイソプレン系、フッ素ゴム系、ポリ塩化ビニル、ポリ塩化ビニリデンなどの塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。その他、紙、不職布等が混合されていてもよい。
【００２６】
なお、樹脂フィルム２０は、単層のものであってもよいし、複数の層が積層された積層体であってもよい。
【００２７】
図１３に示すように、樹脂フィルム２０は、加工が施されると、孔２０１が形成された孔付き樹脂フィルム２０Ａとなる。この孔付き樹脂フィルム２０Ａは、所定長さに裁断されて、例えば青果物等の食品を包装する包装袋２０Ｃとなる。孔付き樹脂フィルム２０Ａが包装袋２０Ｃとなるまでの製造工程について説明する。
【００２８】
図１３（ａ）に示すように、孔付き樹脂フィルム２０Ａを引き伸ばして、例えばはさみやカッターなどを用いて所定長さに裁断する。この裁断されたものが包装袋２０Ｃの母材２０Ｂとなる（図１３（ｂ）参照）。
【００２９】
次に、図１３（ｃ）に示すように、母材２０Ｂの幅方向の中央部を折り曲げ部２０２として、折り曲げる。
【００３０】
そして、母材２０Ｂが袋状をなるように縁部を例えば融着（熱融着、高周波融着、超音波融着等）して、図１３（ｄ）に示す包装袋２０Ｃを得る。この包装袋２０Ｃでは、表側に６つの孔２０１が３行２列の行列状に配置され、裏側にも６つの孔２０１が３行２列の行列状に配置されたものとなっている。包装袋２０Ｃに包装された青果物は、自身の呼吸速度が孔２０１より調整されて、鮮度保持が行なわれる。
【００３１】
このような孔加工を施すのに、加工装置１が用いられる。
次に、加工装置１の各部の構成について説明する。前述したように、加工装置１は、搬送手段２と、孔形成手段３と、制御手段１０とを備えている。
【００３２】
図１（図２についても同様）に示すように、搬送手段２は、樹脂フィルム２０をその長手方向に沿って搬送するものである。搬送手段２は、溝付きローラ２１と、溝付きローラ２１に対して樹脂フィルム２０の搬送方向（以下単に「搬送方向」と言う）上流側に配置されたテンショナ２２、２３、２４、２５と、溝付きローラ２１に対して搬送方向下流側に配置されたテンショナ２６、２７、２８、２９とを有している。なお、各ローラは、それぞれ、例えばステンレス鋼等のような金属材料で構成されているのが好ましい。また、これらのローラは、回動軸（中心軸）同士が同じ方向を向いており、互いに離間して配置されている。また、テンショナ２５、２６
を除くローラは、例えば加工装置１全体を支持するフレーム（図示せず）に回動可能に支持されている。
【００３３】
図４に示すように、溝付きローラ２１は、外形形状が円柱状をなし、その外周部２１１の一部に樹脂フィルム２０の長手方向の途中が接触して、掛け回されつつ回転するローラである。
【００３４】
この溝付きローラ２１の外周部２１１には、その周方向に沿ったリング状をなす溝２１２が形成されている。溝２１２の本数は、図４に示す構成では４本である。この本数は、樹脂フィルム２０の幅方向に沿った孔２０１の個数と同じとなっている。後述するように、各溝２１２上で樹脂フィルム２０に対してレーザ光Ｌを照射することにより、その照射された部分に孔２０１を形成することができる（図３参照）。なお、４本の溝２１２の間隔は、樹脂フィルム２０に形成する孔２０１の間隔に応じたものとするのが好ましく、例えば図４に示す構成では溝付きローラ２１の中心軸方向に沿って等間隔となっている。
【００３５】
テンショナ２２〜２９も溝付きローラ２１と同様に、外形形状が円柱状をなし、樹脂フィルム２０の長手方向の途中が接触して、掛け回されつつ回転するローラである。これにより、樹脂フィルム２０に張力を掛けつつ、搬送することができる。図１に示す構成では、テンショナ２２とテンショナ２９とが溝付きローラ２１に関して対称的に配置され、テンショナ２３とテンショナ２８とが溝付きローラ２１に関して対称的に配置され、テンショナ２４とテンショナ２７とが溝付きローラ２１に関して対称的に配置され、テンショナ２５とテンショナ２６とが溝付きローラ２１に関して対称的に配置されている。
【００３６】
また、搬送方向最上流側では、未だ孔２０１が形成されていない樹脂フィルム２０がロール状に巻回されている。そして、この樹脂フィルム２０を搬送方向に送出すことができる。
【００３７】
一方、搬送方向最下流側では、孔２０１が形成された樹脂フィルム２０を巻き取ることができ、その巻き取りローラにモータ１１が接続される。そして、このモータ１１の作動により、樹脂フィルム２０を搬送することができる。
【００３８】
また、モータ１１に印加する電圧の大きさを変更することにより、樹脂フィルム２０の搬送速度ｖも変更することができる。これにより、樹脂フィルム２０に対してレーザ光Ｌが当たる時間を調整することができ、よって、孔２０１の形状や大きさを変更することができる。
【００３９】
孔形成手段３は、レーザ光Ｌを照射するレーザ光照射部３１を有している。このレーザ光照射部３１は、溝付きローラ２１の上側に当該溝付きローラ２１に対向して配置され、加工装置１全体を支持する前記フレームに支持、固定されている。
【００４０】
また、レーザ光照射部３１は、レーザ光Ｌを照射する照射口３１１が各溝２１２にそれぞれ臨んでいる。そして、図３に示すように、樹脂フィルム２０の溝付きローラ２１に接触して、掛け回された接触部２０３にレーザ光Ｌが照射されることにより、当該接触部２０３が溶融して孔２０１が形成される。また、接触部２０３が溶融したことで微小片が生じるが、この微小片は、一部または全部が揮散しつつ溝２１２から排出される。
【００４１】
また、レーザ光照射部３１が照射するレーザ光Ｌは、樹脂フィルム２０の構成材料に応じて適宜選択され、例えば、ＣＯ２レーザ光等の遠赤外線レーザ光、Ｎｄ−ＹＡＧレーザ光等の近赤外線レーザ光、エキシマレーザ光が挙げられるが、樹脂フィルム２０の構成材料が熱可塑性樹脂の場合、ＣＯ２レーザ光であるのが好ましい。ＣＯ２レーザ光としては、波長が９．２〜１０．８μｍ程度であるのが好ましく、９．４〜１０．６μｍがより好ましい。なお、用いる波長は、樹脂フィルム２０の透過率を考慮して適宜選択して決定することができる。また、ＣＯ２レーザ光は、遠赤外線であり、例えばＣＯ２混合ガスを封入した管に高周波、高電圧をあてて励起させることによって得られ、熱可塑性樹脂で構成された樹脂フィルム２０に孔２０１を容易かつ確実に形成することができる。
【００４２】
図６に示すように、制御手段１０は、搬送手段２や孔形成手段３等と電気的に接続されており、これらの作動を制御する機能を有している。制御手段１０は、ＣＰＵ（Central Processing Unit）１０１と、メモリ１０２とを有している。
【００４３】
ＣＰＵ１０１は、樹脂フィルム２０に孔加工を施すための処理等の各種処理用のプログラムを実行することができる。
【００４４】
メモリ１０２は、例えばフラッシュメモリであり、各種プログラム等を記憶することができる。
【００４５】
ところで、加工装置１では、搬送速度ｖが大きくなればなるほど、樹脂フィルム２０の搬送中に当該樹脂フィルム２０と各ローラとの間に空気が巻き込まれて（入り込んで）、当該樹脂フィルムが波打つ、すなわち、バタつくおそれがあった。特に、孔２０１を形成する際に、樹脂フィルム２０と溝付きローラ２１との間でこのような波打った状態（以下「波打ち状態」と言う）が生じると、形成された孔２０１の大きさがばらつく等の現象が起きる。そこで、加工装置１では、このような現象を解消するのに有効な構成となっている。以下、これについて説明する。
【００４６】
図１、図２に示すように、搬送手段２では、樹脂フィルム２０の溝付きローラ２１に対する接触部２０３の抱き角（抱き角度）θを調整することができ、その調整用のための機構として抱き角調整機構４が設置されている。ここで、「抱き角」とは、接触部２０３で、搬送方向最上流側に位置する上流端２０３ａと、搬送方向最下流側に位置する下流端２０３ｂと、溝付きローラ２１の中心２１３とのなす角のことである。すなわち、「抱き角」とは、接触部２０３を円の弧としたときの当該弧の中心角のことである。
【００４７】
図５に示すように、抱き角調整機構４は、抱き角調整用ローラとしてのテンショナ２５、２６と、テンショナ２５、２６を上下方向に移動可能に支持する移動支持機構４１とを有している。
【００４８】
前述したように、テンショナ２５とテンショナ２６とは、溝付きローラ２１に関して対称的に配置されている。すななち、テンショナ２５は、溝付きローラ２１に対して搬送方向上流側に隣り合って配置され、テンショナ２６は、溝付きローラ２１に対して搬送方向下流側に隣り合って配置されている。
【００４９】
移動支持機構４１は、テンショナ２５、２６を鉛直方向、すなわち、搬送方向と交差する方向に移動可能に支持する機構である。図５に示すように、移動支持機構４１は、モータ４２と、カップリング４３と、ボールねじ４４と、リニアガイド４５と、連結部材４６とで構成されている。
【００５０】
モータ４２は、例えばサーボモータやステッピングモータであり、前記フレームに固定されている。
【００５１】
ボールねじ４４は、ねじ軸４４１と、ナット４４２と、これらの間を摺動する多数個の球体（図示せず）とで構成されている。ねじ軸４４１は、その下端部がカップリング４３を介してモータ４２と連結されている。また、ねじ軸４４１の上端部は、前記フレームに支持されている。
【００５２】
リニアガイド４５は、レール部材４５１と、スライド部材４５２と、これらの間を摺動する多数個の球体（図示せず）とで構成されている。レール部材４５１は、前記フレームに鉛直方向に沿って、すなわち、ボールねじ４４と平行に支持、固定されている。
【００５３】
連結部材４６は、テンショナ２５とテンショナ２６とを連結する長尺状をなす硬質部材である。連結部材４６の左端部４６１では、テンショナ２５が回動可能に支持されており、右端部４６２では、テンショナ２６が回動可能に支持されている。また、連結部材４６は、その長手方向の中央部付近が、ボールねじ４４のナット４４２とリニアガイド４５のスライド部材４５２とに、例えばボルトを介して固定されている。
【００５４】
以上のような構成の移動支持機構４１では、モータ４２が回転動作することにより、ボールねじ４４のねじ軸４４１が回転する。そして、ねじ軸４４１とナット４４２との間で、回転運動が直線運動に変換されて、連結部材４６がテンショナ２５、２６ごと鉛直上方に向かって移動することができる。また、モータ４２が前記と反対に回転動作することにより、連結部材４６がテンショナ２５、２６ごと鉛直下方に向かって移動することができる。このように、移動支持機構４１は、テンショナ２５、２６を一括して同じ方向に移動させることができる。
【００５５】
そして、抱き角調整機構４が作動した際、すなわち、移動支持機構４１によりテンショナ２５、２６が図１に示す状態から図２に示す状態に変位した際、樹脂フィルム２０（接触部２０３）と溝付きローラ２１との接触面積が増大し、その結果、抱き角θも増大する。この抱き角θの増大により、樹脂フィルム２０の接触部２０３と溝付きローラ２１との密着の程度も増大する。これにより、樹脂フィルム２０の搬送中にこれらの間に空気が巻き込まれるのが確実に防止され、よって、波打ち状態が解消される。その結果、樹脂フィルム２０に孔２０１を安定して確実に形成することができる。
【００５６】
また、搬送速度ｖと抱き角θとの関係は、検量線としての例えば図７に示すグラフが制御手段１０のメモリ１０２に予め記憶されている。なお、検量線としては、グラフに限定されず、例えば、表（テーブル）であってもよい。制御手段１０は、例えば樹脂フィルム２０を巻き取るためのモータ１１に内蔵されたエンコーダからの情報に基づいて、搬送速度ｖを検出する。そして、その検出結果が搬送速度ｖ１であった場合には、抱き角θ１となるように抱き角調整機構４が制御される（図７参照）。また、搬送速度ｖ１よりも大きい搬送速度ｖ２であった場合には、抱き角θ１よりも大きい抱き角θ２となるように抱き角調整機構４が制御される（図７参照）。このように抱き角調整機構４は、搬送速度ｖの大小により抱き角θの大きさを調整するよう、制御手段１０によって制御されている。これにより、波打ち状態を確実に防止することができ、よって、樹脂フィルム２０に対する孔加工を安定して行なうことができる。
【００５７】
抱き角調整機構４による抱き角θの調整範囲は、０度以上１８０度以下であるのが好ましく、３０度以上１５０度以下であるのがより好ましい。これにより、搬送速度ｖの他、樹脂フィルム２０の厚さ、樹脂フィルム２０の伸び率等の種々の条件下で、波打ち状態を確実に防止することができる。
【００５８】
前述したように、移動支持機構４１は、テンショナ２５、２６を一括して同じ方向に移動させることができる。これにより、テンショナ２５、２６のうちの一方を移動させた場合に比べて、迅速に抱き角θを調整することができる。
【００５９】
また、抱き角調整機構４では、テンショナ２５、２６が移動した分、樹脂フィルム２０に対して搬送方向のテンションを調整することもできる。これにより、抱き角θの調整とともに、搬送速度ｖに応じて、樹脂フィルム２０の接触部２０３と溝付きローラ２１との密着の程度も調整される。これにより、波打ち状態がより確実に防止され、よって、樹脂フィルム２０に対して孔加工をより好適に施すことができる。
【００６０】
図１、図２に示すように、テンショナ２５、２６の外径は、それぞれ、溝付きローラ２１の外径よりも小さいのが好ましい。これにより、樹脂フィルム２０と溝付きローラ２１との間の滑りが少なく、バタツキを低減することができる。
【００６１】
また、加工装置１で好適に加工される樹脂フィルム２０として、図１４に示す構成のものがある。この樹脂フィルム２０は、幅方向の中央部から半分（図１４中の左側）の部分に印刷２０４が施されている。そして、このような樹脂フィルム２０では、図１５に示すように、図中の左側の印刷２０４が施された部分と、それと反対側、すなわち、図中の右側の無地の部分とで、厚さが異なっている。このように、樹脂フィルム２０の幅方向に厚さが厚い部分と薄い部分とがある。例えば樹脂フィルム２０がバナナ等の青果物を包装する包装袋２０Ｃとなる場合、図１５中の左側での厚さｔleftは、３３μｍとなり、図１５中の右側での厚さｔrightは、３０μｍとなる。
【００６２】
このように幅方向に厚さが厚い部分と薄い部分とがある樹脂フィルム２０では、搬送速度ｖの大小にかかわらず、搬送中に波打ち状態となり易い。そこで、加工装置１は、前記厚い部分と前記薄い部分との厚さの差の程度によって、抱き角θの大きさを調整することができる。これにより、前述したように樹脂フィルム２０と溝付きローラ２１との密着性が向上し、よって、波打ち状態が防止されて、安定して樹脂フィルム２０に孔加工を施すことができる。
【００６３】
＜第２実施形態＞
図８は、本発明の樹脂フィルム加工装置（第２実施形態）での樹脂フィルムの厚さと抱き角との関係を示すグラフである。
【００６４】
以下、この図を参照して本発明の樹脂フィルム加工装置の第２実施形態について説明するが、前述した実施形態との相違点を中心に説明し、同様の事項はその説明を省略する。
【００６５】
本実施形態は、抱き角の大きさを調整するときの条件が異なること以外は前記第１実施形態と同様である。
【００６６】
搬送速度ｖが一定である場合、樹脂フィルム２０が比較的厚いものと比較的薄いものとでは、薄い方が波打ち状態が生じ易い。そこで、本実施形態では、抱き角調整機構４は、樹脂フィルム２０の厚さｔの大小により抱き角θの大きさを調整するよう構成されている。
【００６７】
厚さｔと抱き角θとの関係は、検量線としての例えば図８に示すグラフが制御手段１０のメモリ１０２に予め記憶されている。加工装置１の操作者（オペレータ）によって厚さｔがメモリ１０２に入力されている。そして、その入力値が厚さｔ１であった場合には、抱き角θ３となるように抱き角調整機構４が制御される（図８参照）。また、厚さｔ１よりも厚い厚さｔ２であった場合には、抱き角θ３よりも小さい抱き角θ４となるように抱き角調整機構４が制御される（図８参照）。
【００６８】
以上のような制御により、波打ち状態を確実に防止することができ、よって、樹脂フィルム２０に対する孔加工を安定して行なうことができる。
【００６９】
＜第３実施形態＞
図９は、本発明の樹脂フィルム加工装置（第３実施形態）での樹脂フィルムの伸び率と抱き角との関係を示すグラフである。
【００７０】
以下、この図を参照して本発明の樹脂フィルム加工装置の第３実施形態について説明するが、前述した実施形態との相違点を中心に説明し、同様の事項はその説明を省略する。
【００７１】
本実施形態は、抱き角の大きさを調整するときの条件が異なること以外は前記第１実施形態と同様である。
【００７２】
搬送速度ｖが一定である場合、樹脂フィルム２０が比較的伸び易いものと比較的伸び難いものとでは、伸び易い方が波打ち状態が生じ易い。そこで、本実施形態では、抱き角調整機構４は、樹脂フィルム２０の伸び易さ、すなわち、伸び率αの大小より抱き角θの大きさを調整するよう構成されている。
【００７３】
伸び率αと抱き角θとの関係は、検量線としての例えば図９に示すグラフが制御手段１０のメモリ１０２に予め記憶されている。加工装置１の操作者によって伸び率αがメモリ１０２に入力されている。そして、その入力値が伸び率α１であった場合には、抱き角θ５となるように抱き角調整機構４が制御される（図９参照）。また、伸び率α１よりも大きい伸び率α２であった場合には、抱き角θ５よりも大きい抱き角θ６となるように抱き角調整機構４が制御される（図９参照）。
【００７４】
以上のような制御により、波打ち状態を確実に防止することができ、よって、樹脂フィルム２０に対する孔加工を安定して行なうことができる。
【００７５】
例えば、熱可塑性樹脂の１種であるポリエチレンは、比較的伸び易い樹脂材料であり、この材料で樹脂フィルム２０を構成した場合、当該樹脂フィルム２０に過剰なテンションをかけるのが困難となることがある。このようにテンションをできる限り抑えたい場合に、抱き角θを調整して波打ち状態を防止するのは、好ましい構成と言うことができる。
【００７６】
＜第４実施形態＞
図１０は、本発明の樹脂フィルム加工装置の第４実施形態を示す正面図である。図１１および図１２は、それぞれ、図１０に示す樹脂フィルム加工装置で樹脂フィルムに孔が形成される状態を示す断面図である。
【００７７】
以下、これらの図を参照して本発明の樹脂フィルム加工装置の第４実施形態について説明するが、前述した実施形態との相違点を中心に説明し、同様の事項はその説明を省略する。
本実施形態は、孔形成手段の構成が異なること以外は前記第１実施形態と同様である。
【００７８】
図１０に示すように、本実施形態では、孔形成手段３は、レーザ光照射部３１を上下方向に移動可能に支持する移動支持機構（レーザ光照射部支持機構）３２を有している。移動支持機構３２は、レーザ光照射部３１に連結された連結部材３２１と、連結部材３２１を案内するガイドレール３２２と、連結部材３２１をガイドレール３２２に沿って移動駆動させる駆動源３２３とで構成されている。
【００７９】
ガイドレール３２２は、加工装置１全体を支持する前記フレームに鉛直方向に沿って配置、固定されている。
【００８０】
駆動源３２３としては、例えば、２つのプーリと、これらプーリ間に掛け回された無端ベルトと、２つのプーリのうちの一方のプーリに連結されたモータとを有する構成とすることができる。
【００８１】
このような構成の移動支持機構３２の作動により、レーザ光照射部３１は、溝付きローラ２１の溝２１２に対して接近（図１１参照）、離間（図１２参照）することができる。例えば、図１１に示す状態では、レーザ光照射部３１が溝付きローラ２１に最も接近しており、これにより、レーザ光Ｌの樹脂フィルム２０に対する照射面積が最大になり、よって、最大の孔２０１を形成することができる。また、図１２に示す状態では、レーザ光照射部３１が溝付きローラ２１に最も離間しており、これにより、レーザ光Ｌの樹脂フィルム２０に対する照射面積が最小になり、よって、最小の孔２０１を形成することができる。
【００８２】
このように加工装置１では、レーザ光照射部３１の溝付きローラ２１に対する離間距離に応じて、孔２０１の大きさを変更することができる。
【００８３】
以上、本発明の樹脂フィルム加工装置を図示の実施形態について説明したが、本発明は、これに限定されるものではなく、樹脂フィルム加工装置を構成する各部は、同様の機能を発揮し得る任意の構成のものと置換することができる。また、任意の構成物が付加されていてもよい。
【００８４】
また、本発明の樹脂フィルム加工装置は、前記各実施形態のうちの、任意の２以上の構成（特徴）を組み合わせたものであってもよい。
【００８５】
また、溝付きローラでの溝の形成数は、前記各実施形態では樹脂フィルムの幅方向に沿った孔の個数と同じとなっているが、これに限定されず、樹脂フィルムの幅方向に沿った孔の個数よりも多ければよい。この場合、各孔の樹脂フィルムの幅方向の加工位置の自由度を向上させることができる。
【００８６】
また、樹脂フィルムに対するレーザの照射方向は、前記各実施形態では溝付きローラでの溝に向けているが、これに限定されず、樹脂フィルムが波打ち状態となっていない場合には、溝付きローラに接する手前に向けていてもよい。
【００８７】
また、樹脂フィルムの搬送方向上流側にあるテンショナと、樹脂フィルムの搬送方向下流側にあるテンショナとは、前記各実施形態では溝付きローラに関して対称的に配置されているが、これに限定されず、非対称であってもよい。
また、搬送手段では、テンショナ同士の間にアイドラが配置されていてもよい。
【００８８】
また、抱き角調整機構の抱き角調整用ローラは、前記各実施形態では溝付きローラ２１に対して樹脂フィルムの搬送方向上流側および下流側の双方に配置されているが、これに限定されず、例えば、搬送方向上流側および下流側の一方に配置されていてもよい。
【００８９】
また、抱き角調整機構は、前記各実施形態では２つの抱き角調整用ローラを一括して同じ方向に移動させるよう構成されているが、これに限定されず、各抱き角調整用ローラをそれぞれ独立して移動させるよう構成されていてもよい。
【００９０】
また、樹脂フィルム加工装置は、抱き角調整機構を構成するローラ（テンショナ）が上下可動する際に、ローラ間の平行を維持する機構を備えていてもよい。この場合、各ローラの平行度のズレを防止することができる。これにより、樹脂フィルムの弛みや波打ちの誘発を低減することができる。
【符号の説明】
【００９１】
１            樹脂フィルム加工装置（加工装置）
２            搬送手段
２１          溝付きローラ
２１１        外周部
２１２        溝
２１３        中心
２２、２３、２４、２５、２６、２７、２８、２９  テンショナ
３            孔形成手段
３１          レーザ光照射部
３１１        照射口
３２          移動支持機構（レーザ光照射部支持機構）
３２１        連結部材
３２２        ガイドレール
３２３        駆動源
４            抱き角調整機構
４１          移動支持機構
４２          モータ
４３          カップリング
４４          ボールねじ
４５          リニアガイド
４５１        レール部材
４５２        スライド部材
４６          連結部材
４６１        左端部
４６２        右端部
１０          制御手段
１０１        ＣＰＵ（Central Processing Unit）
１０２        メモリ
１１          モータ
２０          樹脂フィルム
２０Ａ        孔付き樹脂フィルム
２０Ｂ        母材
２０Ｃ        包装袋
２０１        孔
２０２        折り曲げ部
２０３        接触部
２０４        印刷
Ｌ            レーザ光
ｔ、ｔ１、ｔ２、ｔleft、ｔright  厚さ
ｖ、ｖ１、ｖ２  搬送速度
α、α１、α２  伸び率
θ、θ１、θ２、θ３、θ４、θ５、θ６  抱き角（抱き角度）
【図１】
2015188915.tif 000003
【図２】
2015188915.tif 000004
【図３】
2015188915.tif 000005
【図４】
2015188915.tif 000006
【図５】
2015188915.tif 000007
【図６】
2015188915.tif 000008
【図７】
2015188915.tif 000009
【図８】
2015188915.tif 000010
【図９】
2015188915.tif 000011
【図１０】
2015188915.tif 000012
【図１１】
2015188915.tif 000013
【図１２】
2015188915.tif 000014
【図１３】
2015188915.tif 000015
【図１４】
2015188915.tif 000016
【図１５】
2015188915.tif 000017